(57)【要約】      （修正有）【課題】片手でも簡単に手首に装着でき、かつ装着後は外れにくく、さらに取り外しが容易で、足元や周辺等任意の箇所を照らしやすい子供や高齢者等あらゆる世代で気軽に使える装身具を提供する。【解決手段】身体や所持品等に装着する装着部材２と、装着部材２に取り付けられる照明用の発光部材３とからなり、装着部材２が、略Ｃ字形状の環体２１からなり、環体２１の両端部に相対向して球状体２２が取り付けられてなり、発光部材３が伸縮する接続部材４を介して装着部材２に取り付けられなる装身具１であり、装着部材２は、略Ｃ字形状の環体２１の端部を交差させ、環体２１の両端部に取り付けられた球状体２２が環体２１の復元力で当接し環体２１をリング状に形成可能な程度の弾性材料あるいは塑性変形可能な材料からなる。【選択図】図１
0003219172.tif 000002
【実用新案登録請求の範囲】
【請求項１】
身体や所持品等に装着する装着部材と、前記装着部材に取り付けられる照明用の発光部材とからなり、
前記装着部材が、略Ｃ字形状の環体からなり、前記環体の両端部に相対向して球状体が取り付けられてなることを特徴とする装身具。
【請求項２】
前記装着部材が、略Ｃ字形状の環体の端部を交差させ、前記環体の両端部に取り付けられた球状体が環体の復元力で当接し前記環体をリング状に形成可能な程度の弾性材料あるいは塑性変形可能な材料からなることを特徴とする請求項１に記載の装身具。
【請求項３】
前記発光部材が、伸縮する接続部材を介して、前記装着部材に取り付けられてなることを特徴とする請求項１に記載の装身具。
【請求項４】
請求項１〜３のいずれかに記載の装身具において、前記装着部材に警告音や告知音を発生する音響発生装置が取り付けられてなることを特徴とする装身具。
【請求項５】
請求項１〜４のいずれかに記載の装身具において、前記発光部材及び前記音響発生装置のいずれかが、あるいは両方が、装着部材の略Ｃ字形状の環体に摺動可能に取り付けられてなることを特徴とする装身具。
【考案の詳細な説明】
【技術分野】
【０００１】
本考案は、手首や腕、バッグ等に装着する装身具に関する。
【背景技術】
【０００２】
夜間の外出や、照明器具のない場所での軽作業時に、足元や周囲を照らすために懐中電灯やランタンのような手提げランプが使われる。
懐中電灯やランプは片手で保持して使われるため、荷物が多い場合や、軽作業する場合に片手しか使えず支障がある。
このような問題を解決するために、手で保持しなくても使える様々な照明器具が考えられており、例えば、頭部に照明器具を固定するものがある。
これは、照明器具が固定できるバンド等を頭部に巻いて装着するものや、照明器具自体にヘルメットなどに固定できるフック等の固定部材が設けられているもので、照明器具を頭部に固定することで、照明器具を片手で保持する必要がなくなり、荷物の運搬や軽作業に両手を使うことができ便利である。
しかし、頭部に照明器具を固定するのは、ちょっとした外出や軽作業時には大げさすぎ、外観上も抵抗があり、気軽には使いにくく一般にはあまり普及していない。
【０００３】
上記のような問題を解決するために、例えば、指先にランプを固定して、周囲を照射する携帯指先ランプが開示されている。
特開２００７−４８５１８号公報（特許文献１）には、「手首に配置される電池収容筐体と、前記筐体から指先位置まで伸長するフレキシブルチューブと、前記フレキシブルチューブの先端に設けられた発光部と、前記発光部から前記フレキシブルチューブを通って前記筐体内の一対の端子に接続される被覆導電線と、前記筐体に装着され、かつ、該筐体を手首に巻き付けるための帯材と、前記筐体に取り付けられ、かつ、前記端子を前記筐体内の電池に接触、離脱させるスイッチノブとを有することを特徴とする携帯指先ランプ。」が開示されており、「手の指先近傍まで発光部が伸長して指先およびその近くの周囲を局部的に照射し、しかも各種の手作業、指先作業の邪魔にならず、また、きわめて軽量、小形で、電池の交換もワンタッチで簡単に行い得る携帯指先ランプ」とされている。
このような指先に固定される照明器具は、照明器具を片手で保持する必要がなく、照明が照らす範囲内で指先で作業を行う場合には好適である。
しかし、照射範囲が局部的なため、夜間の外出時の照明としてや、照明器具のない暗闇での軽作業には使い勝手が悪く不向きである。また、電池収納筐体を手首に装着し、さらにフレキシブルチューブの先端に設けられた発光部を指先に装着する作業は、装着しない側の片手で行わざるを得ず、煩雑で簡単に装着できるものではない。
【０００４】
その他に、手首に巻き付けるリストバンドに照明手段を備えたものとして、特開２０１２−８８６０８号公報（特許文献２）には、「色付き及び／又は透明の材質から成り、手首に巻いて使用できるような帯状部を有するリストバンドであって、ＥＬなどの照明手段や護身用の発音若しくは表示する手段又は筆記具を収納若しくは挿入するポケット若しくは挿入手段を設けてなることを特徴とするリストバンド。（請求項４）」が開示されている。
これは、リストバンドにポケットを設け、そのポケット内に照明手段を収納することで、照明手段の光がポケットを透過して、周囲を照らすというものである。
このリストバンドであれば、手首に装着するだけなので、照明器具を片手で保持する必要がなく、夜間の外出や照明のない暗闇での軽作業等に好適である。
しかし、リストバンドは帯状であり、手首に装着する際には、片手でリング状に端部を連結する必要があり、暗闇で装着する時はもちろん、暗闇でなくとも装着しない側の片手だけで装着するのは難しい。
また、前記連結は、リストバンドの先端の裏面に接着用の糊をつけておいて固定する構造で、いわゆる使い捨ての簡易なものであり、継続して何度も使うような照明器具としては不向きである。
【０００５】
このように装着が煩雑であったり困難であったりすることは、子供や高齢者に敬遠される原因となる。ちょっとした外出時の安全性を考慮した照明器具の場合、むしろ子供や高齢者にとって簡単に装着できるものであることが望まれる。
このような装着の困難性、特に手首への装着の困難性を解決する方法として、特開２０１８−３３９４８号公報（特許文献３）には、簡単に手首に装着することができるスポーツウォッチが開示されている。
このスポーツウォッチは、「運動に関する情報を報知する機能を備えたウォッチ本体部と、前記ウォッチ本体部に連係されるバンド部を備え、前記バンド部は、前記ウォッチ本体部と非接続側が分離され、その分離された一対の自由端部位が、互いの側面同士を接触可能とし、前記バンド部は、少なくとも一部に弾力性を有する部分を有し、その弾力性を有する部分の弾性復元力により、少なくとも一方の自由端部位の前記側面が、他方の自由端部位の前記側面を付勢し、前記互いの側面同士が接触した状態を保持するように」構成される。
このスポーツをウォッチによれば、バンド部には弾力性を有する部分があるため、例えば当該部分を弾性変形させてスポーツウォッチの内周の寸法を拡大したり、一対の自由端部位を離反させたりするなどして簡単に手首に装着することができ、スポーツウォッチを手首に装着すると、バンド部の一対の自由端部位の側面同士を接触させることで固定できる。側面同士を接触させることで、当該部分の厚みが増すこともなく、さらに装飾・ファッション性がより向上し、ブレスレットのようになり、運動したい通常の生活においても、ファッションアイテムの一つとして装着できる、という効果を奏するとされている。
【先行技術文献】
【特許文献】
【０００６】
【特許文献１】特開２００７−４８５１８号公報
【特許文献２】特開２０１２−８８６０８号公報
【特許文献３】特開２０１８−３３９４８号公報
【考案の概要】
【考案が解決しようとする課題】
【０００７】
上記特許文献３に記載されたバンド部の構造であれば、弾性力を利用しているので、片手で手首に装着ができるが、片手で装着可能な程度の弾性力と、緩んで手首から抜け落ちない程度の弾性復元力を保持するために、バンド部全体をエラストマーのような弾力性を有する部材で構成する必要がある。そして、運動時に障害とならないように手首にしっかり固定される程度の弾性力を維持するために、一定の厚みと幅が必要となり、この厚みと幅により手首が拘束されることから、時計のような用途には使いやすいが、足元や周辺を照らす照明器具と組み合わせるには不便である。
【０００８】
本考案は、上記のような問題点に鑑み、片手でも簡単に手首に装着でき、かつ装着後は取れにくく、足元や周辺等任意の箇所を照らしやすい子供や高齢者等あらゆる世代で気軽に使える装身具を提供することを目的とする。
【課題を解決するための手段】
【０００９】
本考案者は上記課題を下記の手段により解決した。
（１）身体や所持品等に装着する装着部材と、前記装着部材に取り付けられる照明用の発光部材とからなり、前記装着部材が、略Ｃ字形状の環体からなり、前記環体の両端部に相対向して球状体が取り付けられてなることを特徴とする装身具。
（２）前記装着部材が、略Ｃ字形状の環体の端部を交差させ、前記環体の両端部に取り付けられた球状体が環体の復元力で当接し前記環体をリング状に形成可能な程度の弾性材料あるいは塑性変形可能な材料からなることを特徴とする前記（１）に記載の装身具。
（３）前記発光部材が、伸縮する接続部材を介して、前記装着部材に取り付けられてなることを特徴とする前記（１）に記載の装身具。
（４）前記（１）〜（３）のいずれかに記載の装身具において、前記装着部材に警告音や告知音を発生する音響発生装置が取り付けられてなることを特徴とする装身具。
（５）前記（１）〜（４）のいずれかに記載の装身具において、前記発光部材及び前記音響発生装置のいずれかが、あるいは両方が、装着部材の略Ｃ字形状の環体に摺動可能に取り付けられてなることを特徴とする装身具。
【考案の効果】
【００１０】
本考案の装身具によって、下記の効果が発揮される。
本考案にかかる装身具は、身体や所持品等に装着する装着部材と、前記装着部材に取り付けられる照明用の発光部材とからなり、前記装着部材が、略Ｃ字形状の環体からなり、前記環体の両端部に相対向して球状体が取り付けられてなるので、略Ｃ字形状の環体の間隙部から簡単に装着でき、かつ、装着後は環体に取り付けられた球状体がストッパーとなって取れにくくなり、装着しやすく使いやすい装身具となる。
また、前記装着部材が、弾性材料あるいは塑性変形可能な材料からなるので、装着部材を構成する略Ｃ字形状の環体の端部を交差させることができ、交差した状態を前記環体の両端部に取り付けられた球状体が環体の復元力で当接して維持し、前記環体をリング状に形成することから、環体の端部を交差させるだけで簡単に略Ｃ字形状の環体をリング状にして外れにくくすることができるとともに、環体の端部の交差を解くだけで、両端部が開放されて間隙部ができるので、容易に取り外すことができる。
そして、本考案にかかる装身具は、発光部材を伸縮する接続部材を介して、前記装着部材に取り付けられるので、手首等から装身具を取り外すことなく、照射したい箇所を照らすことができ、また、装着した側の手で、発光部材を持って照らしたい箇所を照らすこともでき、使い勝手のよい装身具となる。
さらに、装着部材に警告音や告知音を発生する音響発生装置を取り付ければ、防犯対策にも使うことができ、緊急時に役立つ。
そして、前記発光部材や前記音響発生装置を、装着部材の略Ｃ字形状の環体に摺動可能に取り付けることにより、手のひら側、手の甲側等、任意の位置から照射ができ、使用用途や状況を限定することなく、様々な場面で使用することができる。
【図面の簡単な説明】
【００１１】
【図１】本考案の装身具の実施例１の正面図
【図２】本考案の装身具の実施例１の説明図
【図３】本考案の装身具の実施例１の説明図
【図４】本考案の装身具の実施例１の装着の状態を示す説明図
【図５】本考案の装身具の実施例２の正面図
【図６】本考案の装身具の実施例３の正面図
【考案を実施するための形態】
【００１２】
本考案の装身具について、実施例を図に基づいて説明する。
図１は、本考案の装身具の実施例１の説明図である。
図中、１は装身具、２は装着部材、３は発光部材、４は接続部材である。また、２１は環体、２２は球状体、２３は間隙部、４１は取付具である。
【００１３】
本考案にかかる装身具１は、身体や所持品等に装着する装身具であり、手首や腕などの身体だけでなく、自転車、バッグなどにも装着して用いることができるものである。
本考案の装身具１の実施の形態の一例として、図１に本考案の装身具の実施例１の正面図を示す。
実施例１において、本考案の装身具１は、装着部材２と前記装着部材２に取り付けられる照明用の発光部材３とから構成される。そして、前記装着部材２は、略Ｃ字形状の環体２１からなり、前記環体２１の両端部に相対向して球状体２２、２２が取り付けられてなる。
本実施例において、発光部材３は、伸縮する接続部材４を介して装着部材２に取り付けられている。接続部材４を装着部材２に取り付ける取付具４１は、略Ｃ字形状の環体２１に摺動可能な構造となっている。
【００１４】
本考案において装着部材２は、手首や腕などの身体の一部に装着したり、自転車のサドルの下に取り付けたり、あるいはバッグの把手に取り付けたりする。本考案の装身具１は、取り付けやすく、かつ取り付けた後には外れにくいものであり、さらに取り外しが容易であることが重要であり、特別な力を加えることなく、子供や高齢者でも簡単に装着し、取り外しできる形状であることが好ましい。
そこで、本考案にかかる装身具１は、装着部材２が略Ｃ字形状の環体２１となっている。
ここで、略Ｃ字形状は、環状体の一部を切断して開口部を形成したものと同様の形状となる。この開口部が、略Ｃ字形状の環体２１の間隙部２３であり、装着にあたり手首等を挿入する部分となる。
そして、略Ｃ字形状の環体２１の両端部には、相対向して球状体２２、２２が取り付けられる。装着する際には、図２に示す実施例１の説明図のように、球状体２２、２２の間の間隙部２３を押し開くように拡開して手首等を挿入する構成となっている。
そして、手首等を挿入後には、図３に示すように、略Ｃ字形状の環体２１の端部を交差させて、交差した状態を前記環体２１の両端部に取り付けられた球状体２２、２２が環体２１の復元力で当接して維持し、前記環体をリング状に形成する。これにより、間隙部２３が閉鎖し、装身具１が勝手に外れることを防止する。
また、装身具１を取り外す場合には、環体２１の端部の交差を解き両端部を開放し、間隙部２３から取り外す。
したがって、略Ｃ字形状の環体２１は、手首等を挿入するために拡開でき、また環体２１の端部を交差させて、球状体２２、２２が環体２１の復元力で当接してリング状を維持できる程度の弾性を有する材料あるいは塑性変形が可能な材料で構成される。例えば、金や銀、銅、鉄、ステンレス、アルミニウムなどが挙げられる。また、金属以外でもよく、弾性力のある樹脂素材で構成することもできる。
また、略Ｃ字形状の環体２１は、装着する部分よりわずかに大きく形成される。これは、装身具１を装着する箇所を締め付けることなく装着するためであり、また、抵抗なく装着するためである。これにより、子供や高齢者であっても、気軽に装着して外出することができる。例えば、手首に装着するのであれば、環体２１は、装着時に手首を緩やかに環装する程度の大きさが好適である。また、バッグの把手に取り付けて使う用途の場合には、把手の幅よりわずかに大きく形成する等、装着する箇所や使用用途に応じて、略Ｃ字形状の環体２１の大きさを調整する。
なお、環体２１は、弾性材料あるいは塑性変形が可能な材料で構成されるので、装着後にわずかな力で環体２１の環を小さくすることもできるので、安定した装着も可能である。
【００１５】
本考案においては、前述したように略Ｃ字形状の環体２１の両端部に球状体２２が取り付けられる。
本考案にかかる装身具１は、装着した際に、略Ｃ字形状の環体２１の端部を交差させて、交差した状態を前記環体２１の両端部に取り付けられた球状体２２、２２を環体２１の復元力で当接させて維持し、前記環体２１をリング状に形成する（図３（ａ））ので、球状体２２、２２はストッパーの役目を担っている。
詳しくは、図３（ｂ）に示すように環体２１の端部を交差させて、端部に取り付けられた球状体２２の一方が他方の球状体２２に引っかかるようにし、球状体２２、２２の当接により環体２１の間隙部２３を閉鎖し（図３（ｃ））、環体２１を環状とすることで、運動時や小さい子供の手首に装着した時、バッグの細い把手などに装着した時でも外れにくくすることができる。また装着部材２がリング状なので持ち運びもしやすくなる。
そして、球状体２２、２２の引っかかりを外して、環体２１の端部の交差を解くだけで間隙部２３が開くので、片手でも力を入れずに簡単に取り外しでき、子供でも容易に脱着できるものとなっている。
また、球状体２２、２２を略Ｃ字形状の環体２１の両端部に取り付けることにより、装身具１の装着時あるいは取り外す時に、環体２１の間隙部２３を通過するもの（例えば手首）を球状体２２、２２の球面が保護するものとなる。
さらに、後述する発光部材３を環体２１に揺動可能に取り付けた場合には、前記球状体２２、２２が、環体２１から発光部材３が抜け落ちるのを防止する効果を発揮する。
なお、球状体２２は、上記の効果を発揮できる程度の大きさであれば、少なくとも環体２１を構成する鋼材の直径より大きければ、特にその大きさは限定されるものではない。
また、球状体２２も前記した略Ｃ字形状の環体２１と同じ材料で構成してもよく、球状体２２だけ環体２１と異なる材料であってもよい。
【００１６】
本考案にかかる装身具１は、装着部材２に照明用の発光部材３を取り付けることを特徴とする。
前記発光部材３は、夜間の外出時に足元を照らしたり、照明機器のない箇所での軽作業等の際に周辺を照らしたりすることができる程度の照明ができればよく、一般に照明用に使用されている小型のものを使うことができる。本実施例１においては、ＬＥＤ電球と電源となる小型のボタン電池とを組み合わせた発光部材３が使われているが、これに限られるものではない。
【００１７】
実施例１において、発光部材３は、伸縮する接続部材４を介して装着部材２に取り付けられている。
伸縮する接続部材４は、装身具１を装着した際に邪魔にならない程度の任意の長さで構成される。接続部材４が伸縮することで、発光部材３を装着部材２から取り外すことなく、光を照射したい箇所に発光部材３を移動することができる。
また、前記伸縮する接続部材４は、取付具４１により装着部材２に取り付けられ、前記取付具４１が装着部材２の略Ｃ字形状の環体２１に摺動可能であることから、照射したい箇所を照らせるように発光部材３の位置を自由に変えることができる構成となっている。
したがって、前記取付具４１は、環体２１をレールとして手動で摺動できる構造のものが、装着部材２に取りつけられる。そして、その取付具４１に接続部材４や、後述する音響発生装置（５）が固定される。
【００１８】
図４は、本考案の装身具の実施例１の装着の状態を示す説明図である。
装身具１を手首に装着する場合、装身具１の装着部材２を構成する略Ｃ字形状の環体２１の間隙部２３から手首を挿入する。挿入時には、球状体２２、２２に手首を当接させ、間隙部２３を押し開くように手首を矢印ａの方向に進める。すると、球状体２２が矢印ｂに示す方向に押されて間隙部２３が拡開するので、そこに手首を挿入する。手首を挿入後には、環体２１の端部を交差させ、一方の球状体２２を他方の球状体２２に引っかかるように当接させることで、環体２１がリング状に形成され、装身具１が外れるのを防止する。
そして、装身具１を取り外すには、前記環体２１の端部の交差を解くことで、環体２１の弾性力により、もとの状態に復元した間隙部２３から手首を抜く。
なお、環体２１の両端部に取り付けられた球状体２２、２２により、間隙部２３の拡開にあたって接触する部分は傷つくことなく滑らかに間隙部２３を通過できる構成となっている。
また、発光部材３は、取付具４１を摺動して、任意の個所を照らすにあたって最適な位置に移動させておく。
このように本考案の装身具１は、簡単に装着することができ、また、照明器具を片手で保持する必要がなく、暗闇の中でも両手で荷物の運搬や軽作業をすることができる。
そして、装身具１は、緩やかに装着できる環体２１で構成されるので、手軽に簡単に装着でき、装着箇所が拘束されるような不快感のないものとなっている。
さらに、環体２１の端部の交差を解くだけで取り外せることから、子供や高齢者でも容易に取り外しできるものとなっている。
【００１９】
他の実施の形態として、図５に示す実施例２では、伸縮する接続部材４を介さず、取付具４１に直接発光部材３を固定して装着部材２に取り付けている。
これは、伸縮する接続部材４がない方が好適な用途の場合の構成である。
例えば、バッグの把手に装身具１を装着する場合など、発光部材３の位置を伸ばして照射することのない場合などに適している。
この場合も、取付具４１は装着部材２に摺動可能なので、発光部材３の照射方向は任意に変更ができるものとなっている。
【００２０】
さらに他の実施の形態として、図６に示す実施例３では、前記実施例１の装身具１に、警告音や告知音を発生する音響発生装置５が取り付けられている。
実施例３において音響発生装置５は、発光部材３と同様に摺動可能な取付具４１に固定され、環体２１をレールとして摺動できるように構成されている。
また、音響発生装置５は、すぐに押せるような位置に音響発生スイッチ５１が設けられる。
本考案にかかる装身具１は、照明用の発光部材３を備えたものであり、用途としては夜間の外出時に足元を照らしたり、照明のないところでの軽作業等の際に周辺を照らしたりすることができる照明である。したがって、主に夜間や暗闇で使用されるものである。
そのため、本考案にかかる装身具１における実施例３では、安全性を高め、防犯にも役立つよう音響発生装置５を備える構成となっている。
例えば夜間の外出時に体調を崩した場合や、トラブルが発生した時にも、警告音や告知音を発生する音響発生装置５を使って周囲に知らせることができ、安心して夜間の外出や暗闇での作業を行うことができるようになっている。その他、防犯グッズとして、子供の通学時に手首に装着したり、バッグに取り付けたりするというような使い方もできる。
【産業上の利用可能性】
【００２１】
本考案にかかる装身具１は、上記実施例１〜３で説明したように、装着部材２と発光部材３とからなり、コンパクトな構成で装着する場所の形状を選ばず、かつ装着が容易であることから、夜間の外出や照明器具のないところでの軽作業時に使えるほか、病院や介護施設のベッド周辺や、自動車内などでも利便性が高く、好適に使うことができる。
【符号の説明】
【００２２】
１    装身具
２    装着部材
２１  環体
２２  球状体
２３  間隙部
３    発光部材
４    接続部材
４１  取付具
５    音響発生装置
５１  音響発生スイッチ
【図１】
0003219172.tif 000003
【図２】
0003219172.tif 000004
【図３】
0003219172.tif 000005
【図４】
0003219172.tif 000006
【図５】
0003219172.tif 000007
【図６】
0003219172.tif 000008
【手続補正書】
【提出日】平成30年10月10日(2018.10.10)
【手続補正１】
【補正対象書類名】実用新案登録請求の範囲
【補正対象項目名】全文
【補正方法】変更
【補正の内容】
【実用新案登録請求の範囲】
【請求項１】
身体や所持品等に装着する装着部材と、前記装着部材に取り付けられる照明用の発光部材とからなり、
前記装着部材が、略Ｃ字形状の環体からなり、前記環体の両端部に相対向して球状体が取り付けられてなることを特徴とする装身具。
【請求項２】
前記装着部材が、略Ｃ字形状の環体の端部を交差させ、前記環体の両端部に取り付けられた球状体が環体の復元力で当接し前記環体をリング状に形成可能な程度の弾性材料あるいは塑性変形可能な材料からなることを特徴とする請求項１に記載の装身具。
【請求項３】
前記発光部材が、伸縮する接続部材を介して、前記装着部材に取り付けられてなることを特徴とする請求項１に記載の装身具。
【請求項４】
請求項１〜３のいずれかに記載の装身具において、前記装着部材に警告音や告知音を発生する音響発生装置が取り付けられてなることを特徴とする装身具。
【請求項５】
請求項４に記載の装身具において、前記発光部材及び前記音響発生装置のいずれかが、あるいは両方が、装着部材の略Ｃ字形状の環体に摺動可能に取り付けられてなることを特徴とする装身具。